(57)【要約】【課題】本発明は、研究室や実験室などで使用する実験台に排気循環機構を設けた実験台に関する発明である。【解決手段】本発明は、上記の課題を解決するために、土台部の左側及び右側に数個の引き出し部を設けるとともに左側の引き出し部と右側の引き出し部間に数個の収納部を、前記引き出し部と前記収納部の下には複数の吸気孔を設けた土台部を、前記引き出し部と前記収納部の上にはガスコック及びコンセントを備えた天板を設け、前記右側の引き出し部の側面に円筒状の内部に回転蓋を設けた排気部と前記土台部に設けた複数の吸気孔から吸い込んだガスを合流させるボックス部とからなる排気ボックスを設けたことを特徴とする排気型実験台の構成とした。【選択図】  図１
2004358341.tif 000002
【特許請求の範囲】
【請求項１】
土台部の左側及び右側に数個の引き出し部を設けるとともに左側の引き出し部と右側の引き出し部間に数個の収納部を、前記引き出し部と前記収納部の下には複数の吸気孔を設けた土台部を、前記引き出し部と前記収納部の上にはガスコック及びコンセントを備えた天板を設け、前記右側の引き出し部の側面に円筒状の内部に回転蓋を設けた排気部と前記土台部に設けた複数の吸気孔から吸い込んだガスを合流させるボックス部とからなる排気ボックスを設けたことを特徴とする排気型実験台。
【発明の詳細な説明】
【０００１】
【発明が属する技術分野】
本発明は、研究室や実験室などで使用する実験台に排気循環機構を設けた実験台に関する発明である。
【０００２】
【従来の技術】
従来から存在する実験台は、天板と土台部分からなり、土台部は収納を兼ねているものであった。
【０００３】
【発明が解決しようとする課題】
しかしながら、従来の実験台では排気機構がないため実験等で発生した軽いガスは室内の排気機構により排気できたが、空気よりも重いガスなどは部屋に残ったままで、実験の際の安全性が高いとは言えなかった。
【０００４】
そこで、本発明は、実験台に排気機構を設けることで作業中に発生するガス等を効率よく排気することでより安全な実験作業ができる排気型実験台を提供することを目的とするものである。
【０００５】
【課題を解決するための手段】
本発明は、上記の課題を解決するために、土台部の左側及び右側に数個の引き出し部を設けるとともに左側の引き出し部と右側の引き出し部間に数個の収納部を、前記引き出し部と前記収納部の下には複数の吸気孔を設けた土台部を、前記引き出し部と前記収納部の上にはガスコック及びコンセントを備えた天板を設け、前記右側の引き出し部の側面に円筒状の内部に回転蓋を設けた排気部と前記土台部に設けた複数の吸気孔から吸い込んだガスを合流させるボックス部とからなる排気ボックスを設けたことを特徴とする排気型実験台の構成とした。
【０００６】
【実施例】
以下に、添付図面に基づいて本発明である排気型実験台を詳細に説明する。図１から図５は、本発明である排気型実験台を示し、図６から図１０は、排気型実験台の排気ボックスを示し、図１１から図１４は、各断面図を示している。
【０００７】
図１は、本発明である排気型実験台の斜視図である。本発明である排気型実験台１は、Ａ−Ａ線より左右対称の構造をしており、４つの引き出し部５、５、５、５と、４つの収納部４、４、４、４と、天板１３とからなる作業部２と、ボックス部６と排気部７とからなる排気ボックス３とからなる。
【０００８】
前記収納部４、４、４、４の下部には吸気孔１０ｄ、１０ｄ、１０ｄ・・・が設置されており、また前記ボックス部６の下部にも吸気孔６ｑが設置されている。
【０００９】
図２は、本発明である排気型実験台１の平面図である。図２に示すように排気型実験台１の天板１３上の前記排気ボックス３側にはコンセント１３ｂが設置されており、実験で使用する器具の電力を得ることができる。また、前記コンセント１３ｂの反対側にはガスコック１３ａが設置されておりガスを使用する実験器具を使うことができる。
【００１０】
また、図２に示すように排気ボックス３のボックス部６の上面に設置された排気部７は円柱状をしており、内部は空洞となっている。
【００１１】
図３は、本発明である排気型実験台の正面図である。本発明である排気型実験台１の作業部２は正面より見ると２つに並んだ収納部４、４の両側を引き出し部５、５が挟む状態で一列に並んでおり、右側に前記排気ボックス３が設置されている。収納部４、４の左側と右側にそれぞれ４つの引き出し部５、５、５、５が設けてある。
【００１２】
前記収納部４、４は上部が引き出し型の上収納部８となっており、その下に両開き型の収納部９、最下部の土台部１０と続いている。最下部の土台部１０には吸気口１０ｄ、１０ｄが設置されている。
【００１３】
前記引き出し部５、５は４段の引き出し型の収納部１１と土台部１２とからなっており、収納部１１の引き出しは最上段だけが他の３段の引き出しよりも深さが浅くなっており、前記収納部４、４の上収納部８、８と同じ深さになっている。
【００１４】
前記排気ボックス３は、ボックス部６と排気部７とからなっており、ボックス部６の上部に排気部７が連設されている。
【００１５】
図４は、本発明である排気型実験台の右側面図である。前記作業部２の右面中央には排気ボックス３が連設されている。ボックス部６は、直方体状をしており、最下部には吸気孔６ｑが設置されている。上面には排気部７が設置されている。
【００１６】
図５は、本発明である排気型実験台の左側面図である。前記作業部２の左側面は中央最下部に吸気孔１２ｃが設置されている。また、点線で示したように、作業部２を左側面より見て左右対称に収納部１１、１１が設置されている。天板１３の中央に設置されているものはガスコック１３ａである。
【００１７】
次に図６から図１０を利用して排気ボックス３を詳細に説明する。図６は、本発明である排気型実験台の排気ボックスの平面図である。排気ボックス３は、ボックス部６とその上に設置された排気部７とからなる。
【００１８】
排気部７は筒体７ａを中心に構成されており、上面より見ると中空の円柱形をしている。筒体７ａの内部には回転蓋７ｄが心棒７ｅを介して設置されており、心棒７ｅの両端は筒体７ａを貫通している。
【００１９】
前記心棒の一端は心棒保護部材７ｉにより回動可能に止められており、もう一端には調節板７ｆが設置されている。筒体７ａの上面には筒体７ａの径と同形の孔が空いた上接続部７ｂが連設されており、上接続部７ｂには複数の留め具７ｊ、７ｊ、７ｊ・・・が留めてある。
【００２０】
ボックス部６は上面より見ると長方形状をしている。前記排気部７と接続されているボックス部６の天板６ａの中心には、前記筒体７ａの径と同形の孔６ｒが空いている。
【００２１】
図７は、本発明である排気型実験台の排気ボックスの正面図である。ボックス部６の正面板６ｅは長方形状をしており、前記天板６ａとは正面上接続板６ｈにより接続されており、左側面板６ｂとは正面左接続板６ｊにより接続され、右側面板６ｃとは正面右接続板６ｋにより接続され、前底面板６ｆとは正面下接続板６ｉにより接続されている。前記各接続板６ｈ、６ｉ、６ｊ、６ｋと正面板６ｅは留め具６ｌ、６ｌ、６ｌ・・・により固定されている。
【００２２】
前記、前底面板６ｆより下には中央に吸気孔６ｑを備えた土台正面板６ｍが連設されており、左右は土台左側面板６ｎ、土台右側面板６ｏが連設されている。
【００２３】
排気部７の筒体７ａの下面には下接続部７ｃが連設されており、下接続部７ｃは図６において説明した前記上接続部７ｂと同形同大となっている。心棒７ｅの一端は調節板７ｆの中心に接続されている。
【００２４】
前記筒体７ａより外側に向かって突起して設けられている制御棒７ｇは、前記調節板７ｆを貫通して設置されており、調節板７ｆから制御棒７ｇが外れないように制御棒７ｇの一端を制御部材で固定している。
【００２５】
図８は、本発明である排気型実験台の排気ボックスの右側面図である。図８に示すように、ボックス部６の背面板６ｄは途中で切れているためボックス部６の背面は半分以上空いた状態となっている。また、底面部も前底面板６ｆと後底面板６ｇに分かれており、両者の間は空いている状態になっている。また、符号６ｐは土台背面板を表している。
【００２６】
図９は、本発明である排気型実験台の排気ボックスの左側面図である。排気部７の調節板７ｆは円形をしており中心が心棒７ｅと接続されており、心棒７ｅを軸に回動可能になっている。
【００２７】
調節板７ｆには調節孔７ｋが設けられており、調節孔７ｋの幅の分だけ調節板７ｆが回動できる仕組みとなっている。
【００２８】
図１０は、本発明である排気型実験台の排気ボックスの背面図である。図１０に示すように、ボックス部６の背面板６ｄが途中で途切れているため大きな孔が空いている。
【００２９】
図１１は、本発明である排気型実験台のＡ−Ａ線の断面図、図１２は、Ｂ−Ｂ線の断面図である。図１１及び図１２に示すように、本発明である排気型実験台１は内部中央が仕切のない空間となっているため各吸気孔１０ｄ、１０ｄ、１０ｄ・・・、１２ｃより吸い込まれてきた空気は中央の空間を通り排気ボックス３のボックス部６で吸気孔６ｑから吸い込まれた空気と一緒になる。一緒になった空気は更に吸い上げられ吸気部７を通り排気管等へ排出される。
【００３０】
図１３は、本発明である排気型実験台の収納部の断面図である。収納部４は上収納部８と下収納部９及び土台部１０とに分かれている。上収納部８は引き出し型の収納、下収納部９は両開きのドア型収納となっている。
【００３１】
上面支持板８ａと背面板８ｂにより天板１３を支えるようになっており、天板１３により蓋をしない状態では上収納部８の内部は見えるようになっている。引き出し部分は、正面板８ｅ、左側面板８ｄ、背面板８ｆ、底面板８ｇ、取っ手８ｈをそれぞれ示している。取っ手８ｈが上面支持板８ａに当たるところで引き出しは止まるようになっている。尚、背面板８ｂの上端にはＬ字連結具８ｉが取り付けられている。
【００３２】
下収納部９は、両開きのドア型収納となっており、扉９ａが蝶番９ｇ、９ｈにより取り付けられている。また、扉９ａには取付具９ｄにより取っ手９ｃが取り付けられている。下収納部９の内部は、棚板９ｅが調節具９ｉにより取り付けられている。尚、調節具９ｉの高さは変更できる。
【００３３】
下収納部９の最下段は底面板９ｆとなっており、背面板９ｂ側には差込孔９ｊが設けられており、前記背面板９ｂの下端が差し込まれている。また、背面板９ｂの上端は、前記上収納部８の背面板８ｂの下端に階段状に曲がった連結具８ｊの隙間に嵌め込まれており、背面板９ｂ自体は取り外し可能の構造となっている。
【００３４】
前記下収納部９の下には土台部１０があり、土台正面板１０ａには吸気孔１０ｄが設置されている。また、土台天板１０ｃには孔１０ｆが、背面板１０ｂには連結孔１０ｅが空いている。
【００３５】
前記土台天板１０ｃの背面側には凹部１０ｇが設けられており、前記背面板９ｂの下端が差し込まれた状態になっている。
【００３６】
図１４は、本発明である排気型実験台の引き出し部の断面図である。引き出し部５は、収納部１１と土台部１２からなる。収納部１１は、４段の引き出しからなり、そのうち最上部の引き出しは、他の３つの引き出しよりも深さが浅くなっている。
【００３７】
即ち、最上段の引き出しの正面板１１ｅは、他の３つの引き出しの正面板１１ｉ、１１ｉ、１１ｉよりも浅く作られており、前記収納部４の正面板８ｅと同じ高さになっている。尚、各正面板１１ｅ、１１ｉ、１１ｉ、１１ｉの上面には取っ手１１ｍ、１１ｍ、１１ｍ、１１ｍが連設されている。
【００３８】
同様に最上部の引き出しの左側面板１１ｆも他の３つの引き出しの左側面板１１ｊよりも浅くなっており、最上部の引き出しの背面板１１ｇも他の３つの引き出しの背面板１１ｋ、１１ｋ、１１ｋよりも浅くなっている。また、最上部の引き出し及びその他の３つの引き出しの底面板１１ｈ、１１ｌ、１１ｌ、１１ｌは同形同大となっている。
【００３９】
収納部１１の上面は天板１３を被せない状態では空いた状態となっており、最上部の引き出しが見える作りになっている。天板１３を上部支持板１１ａ及び背面板１１ｂの上に載せることで、収納部１１の上部を隠している。尚、背面板１１ｂの上部にはＬ字連結具１１ｎが設置されている。
【００４０】
収納部１１の底面板１１ｄは中央に孔１１ｑが空いており、底面板１１ｄの背面側には凹部１１ｐが設けられている。前記背面板１１ｂの下部に取り付けられた連結具１１ｏにより、背面板１１ｂと連結具１１ｏとの間にできた隙間と前記底面板１１ｄの凹部１１ｐには着脱式背面板１１ｃが取り付けられている。
【００４１】
収納部１１の下には土台部１２がある。土台部１２は、土台正面板１２ａ、土台背面板１２ｂ、土台側面板１２ｄからなっており、内部は空洞になっている。
【００４２】
また、本発明である排気型実験台１は前記収納部４や引き出し部５の組合せ方や使用する数を変更し、天板１３の大きさを変えることで更に大きな排気型実験台とすることも、小さくした排気型実験台とすることもできる。
【００４３】
【発明の効果】
本発明である、排気型実験台は、以上のような構成であるから、以下の効果が得られる。
【００４４】
第１に、本発明である排気型実験台は土台部等の低い部屋の床から近い場所に複数の吸気孔を設置しているで、実験中に発生した空気より重いガスをも素早く吸気し室外へ排気するため安全して実験をすることができる。
【００４５】
第２に、収納部や引き出し部が組合せ自由なため性能を変えることなく実験室の広さにあった排気型実験台を組み立て、使用することができる。
【図面の簡単な説明】
【図１】本発明である排気型実験台の斜視図である。
【図２】本発明である排気型実験台の平面図である。
【図３】本発明である排気型実験台の正面図である。
【図４】本発明である排気型実験台の右側面図である。
【図５】本発明である排気型実験台の左側面図である。
【図６】本発明である排気型実験台の排気ボックスの平面図である。
【図７】本発明である排気型実験台の排気ボックスの正面図である。
【図８】本発明である排気型実験台の排気ボックスの右側面図である。
【図９】本発明である排気型実験台の排気ボックスの左側面図である。
【図１０】本発明である排気型実験台の排気ボックスの背面図である。
【図１１】本発明である排気型実験台のＡ−Ａ線の断面図である。
【図１２】本発明である排気型実験台のＢ−Ｂ線の断面図である。
【図１３】本発明である排気型実験台の収納部の断面図である。
【図１４】本発明である排気型実験台の引き出し部の断面図である。
【符号の説明】
【符号の説明】
１        排気型実験台
２        作業部
３        排気ボックス
４        収納部
５        引き出し部
６        ボックス部
６ａ      天板
６ｂ      左側面板
６ｃ      右側面板
６ｄ      背面板
６ｅ      正面板
６ｆ      前底面板
６ｇ      後底面板
６ｈ      正面上接続板
６ｉ      正面下接続板
６ｊ      正面左接続板
６ｋ      正面右接続板
６ｌ      留め具
６ｍ      土台正面板
６ｎ      土台左側面板
６ｏ      土台右側面板
６ｐ      土台背面板
６ｑ      吸気孔
６ｒ      孔
７        排気部
７ａ      筒体
７ｂ      上接続部
７ｃ      下接続部
７ｄ      回転蓋
７ｅ      心棒
７ｆ      調節板
７ｇ      制御棒
７ｈ      制御部材
７ｉ      心棒保護部材
７ｊ      留め具
７ｋ      調節孔
８        上収納部
８ａ      上面支持板
８ｂ      背面板
８ｃ      正面支持板
８ｄ      左側面板
８ｅ      正面板
８ｆ      背面板
８ｇ      底面板
８ｈ      取っ手
８ｉ      Ｌ字連結具
８ｊ      連結具
９        下収納部
９ａ      扉
９ｂ      背面板
９ｃ      取っ手
９ｄ      取付具
９ｅ      棚板
９ｆ      底面板
９ｇ      蝶番
９ｈ      蝶番
９ｉ      調節具
９ｊ      差込孔
１０        土台部
１０ａ      土台正面板
１０ｂ      土台背面板
１０ｃ      土台天板
１０ｄ      吸気孔
１０ｅ      連結孔
１０ｆ      孔
１０ｇ      凹部
１１        収納部
１１ａ      上部支持板
１１ｂ      背面板
１１ｃ      着脱式背面板
１１ｄ      底面板
１１ｅ      正面板
１１ｆ      左側面板
１１ｇ      背面板
１１ｈ      底面板
１１ｉ      正面板
１１ｊ      左側面板
１１ｋ      背面板
１１ｌ      底面板
１１ｍ      取っ手
１１ｎ      Ｌ字連結具
１１ｏ      連結具
１１ｐ      凹部
１１ｑ      孔
１２        土台部
１２ａ      土台正面板
１２ｂ      土台背面板
１２ｃ      吸気孔
１２ｄ      土台側面板
１３        天板
１３ａ      ガスコック
１３ｂ      コンセント
【図１】
2004358341.tif 000003
【図２】
2004358341.tif 000004
【図３】
2004358341.tif 000005
【図４】
2004358341.tif 000006
【図５】
2004358341.tif 000007
【図６】
2004358341.tif 000008
【図７】
2004358341.tif 000009
【図８】
2004358341.tif 000010
【図９】
2004358341.tif 000011
【図１０】
2004358341.tif 000012
【図１１】
2004358341.tif 000013
【図１２】
2004358341.tif 000014
【図１３】
2004358341.tif 000015
【図１４】
2004358341.tif 000016